(57)【特許請求の範囲】
【請求項１】
筐体の相対する内壁面に取付けられる第１のスライドレールとこの第１のスライドレールに摺動自在に係合し筐体に出し入れ自在に移動する引出し本体に取付けられる第２のスライドレールとから成る１対のスライダーを備え、各スライダーは、引出し本体が筐体内に引き込まれて第１と第２のスライドレールが重合した状態で前記第１と第２のスライドレールを相互にロックするロック手段を含み、前記ロック手段は、引出し本体を引き出す際に、引出し本体を閉じる方向に押し込んで前記第２のスライドレールを前記第１のスライドレールに対して押し込み方向に変位してロックを解放するようにしたものであるスライダー付き引出しキャビネットにおいて、各スライダーは、前記第１と第２のスライドレールが重合した状態で前記第2のスライドレールが前記第１のスライドレールに対して傾斜するのを防止する傾斜防止手段を備えていることを特徴とするスライダー付き引出しキャビネット。
【請求項２】
請求項１に記載のスライダー付き引出しキャビネットであって、前記傾斜防止手段は、前記第２のスライドレールの前端側で前記第２のスライドレールと相対するレールに向けて突出するように設けられた突部から成り、前記突部は、前記第１と第２のスライドレールの重合状態で前記第２のスライドレールに相対するレールの係合壁面に係合して前記第２のスライドレールが傾斜するのを防止していることを特徴とするスライダー付き引出しキャビネット。
【請求項３】
請求項２に記載のスライダー付き引出しキャビネットであって、前記第２のスライドレールが前記第１のスライドレールに直接嵌合し、前記第２のスライドレールに設けられた傾斜防止用の突部は、前記第１のスライドレールの内面側の係合壁面に係合していることを特徴とするスライダー付き引出しキャビネット。
【請求項４】
請求項２に記載のスライダー付き引出しキャビネットであって、前記第２のスライドレールが中間スライドレールを介して前記第１のスライドレールに嵌合し、前記第２のスライドレールに設けられた傾斜防止用突部は、前記中間スライドレールの内面側の係合壁面に係合していることを特徴とするスライダー付き引出しキャビネット。
【請求項５】
請求項２乃至４のいずれかに記載のスライダー付き引出しキャビネットであって、前記第２のスライドレールの突部は、そのレール壁面の一部を略Ｌ字形に打ち出しして形成されていることを特徴とするスライダー付き引出しキャビネット。
【請求項６】
請求項５に記載のスライダー付き引出しキャビネットであって、前記第２のスライドレールＬ字形の突部の係合面は、相対するレールの係合壁面から前端に向けて徐々に離反する傾斜面であることを特徴とするスライダー付き引出しキャビネット。
【請求項７】
筐体の内壁面に取付けられるべき第１のスライドレールと前記第１のスライドレールに摺動自在に係合し筐体に出し入れ自在に移動する引出し本体に取付けられるべき第２のスライドレールとから成り、引出し本体が筐体内に引き込まれて第１と第２のスライドレールが重合した状態で前記第１と第２のスライドレールを相互にロックするロック手段を含み、前記ロック手段は、引出し本体を引き出す際に、引出し本体を閉じる方向に押し込んで前記第２のスライドレールを前記第１のスライドレールに対して押し込み方向に変位してロックを解放するようにしたものである引出しスライダーにおいて、前記第１と第２のスライドレールが重合した状態で前記第２のスライドレールが前記第１のスライドレールに対して傾斜するのを防止する傾斜防止手段を備えていることを特徴とする引出しスライダー。
【請求項８】
請求項７に記載の引出しスライダーであって、前記傾斜防止手段は、前記第２のスライドレールの前端側で前記第２のスライドレールと相対するレールに向けて突出するように設けられた突部から成り、前記突部は、前記第１と第２のスライドレールの重合状態で前記第２のスライドレールに相対するレールの係合壁面に係合して前記第２のスライドレールが前記第１のスライダーに対して傾斜するのを防止していることを特徴とする引出しスライダー。
【請求項９】
請求項８に記載の引出しスライダーであって、前記第２のスライドレールが前記第１のスライドレールに直接嵌合し、前記第２のスライドレールに設けられた傾斜防止用の突部は、前記第１のスライドレールの内面側の係合壁面に係合していることを特徴とする引出しスライダー。
【請求項１０】
請求項８に記載の引出しスライダーであって、前記第２のスライドレールが中間スライドレールを介して第２のスライドレールに嵌合し、前記第２のスライドレールに設けられた傾斜防止用突部は、前記中間スライドレールの内面側の係合壁面に係合していることを特徴とする引出しスライダー。
【請求項１１】
請求項８乃至１０のいずれかに記載の引出しスライダーであって、前記第２のスライドレールの突部は、そのレール壁面の一部を略Ｌ字形に打ち出しして形成されていることを特徴とする引出しスライダー。
【請求項１２】
請求項１１に記載の引出しスライダーであって、前記第２のスライドレールＬ字形の突部の係合面は、相対するレールの係合壁面から前端に向けて徐々に離反する傾斜面であることを特徴とする引出しスライダー。
【発明の詳細な説明】
【技術分野】
【０００１】
本発明は、筐体内にスライドレールを介して摺動自在に支持されて開閉する引出しを閉じた状態でロックするが、引出しの開放時に引出しを閉じ方向に押し込んでロックを解放するようにしたスライダー付き引出しキャビネット及びこの引出しに用いられる引出しスライダーの改良に関するものである。
【背景技術】
【０００２】
スライダー付き引出しキャビネットに用いられる引出しスライダーは、筐体とこの筐体内に出し入れ自在に収納される引出し本体との間に取付けられ、引出し本体を筐体内に引き入れたり、引出し本体を筐体から引き出したりするのを円滑に行うことができるようにし、また引出し本体を筐体内に引き込んだ状態で引出し本体を筐体にロックする機能を有する。
【０００３】
この種の引出しスライダーは、引出し本体の両側壁と筐体の相対する内壁との間に設けられるが、各スライダーは、筐体の内壁面に取付けられる第１のスライドレールと、この第１のスライドレールに摺動自在に係合し筐体に出し入れ自在に移動する引出し本体に取付けられる第２のスライドレールと、引出し本体が筐体内に引き込まれたときに第１と第２のスライドレールを相互にロックするロック手段とを備えている（特許文献１及び２参照）。
【０００４】
一般に、引出し本体を引き出すために、引出し本体の正面壁の中央を押し込んでスライダーのロックを解放するが、引出し本体の中央から左右いずれかにずれた位置で引出し本体の正面壁を押し込んでスライダーのロックを解放しようとすることがある。
【０００５】
一方、引出し本体を筐体に対して円滑に摺動して引出し本体を抵抗なく出し入れすることができるようにするために、第１と第２のスライドレールは、引出し本体の幅方向に緩く隙間をもって嵌合している。このため、引出し本体を開放するために、引出し本体の正面中央ではなく、左右いずれかにずれた位置で引出し本体を押し込むと（図２２の矢印Ｙ参照）、第２のスライドレールが第１のスライドレールに対して緩みによって傾くために、引出し本体が斜めに変位し(図２２の符号３参照）、押し込み操作位置側のスライダーは、ロックを解放するが、反対側のスライダーは、押し込み不足でスライダーのロックが解放されないことがある。このような状態では、引出し本体を引き出すことができないし、反対側のスライダーに無理な力が加わってそのスライダーを破損する虞があった。
【０００６】
【特許文献１】実用新案登録第３１１８２７７号公報
【特許文献２】実用新案登録第３１５４１０６号公報
【発明の開示】
【発明が解決しようとする課題】
【０００７】
本発明が解決しようとする１つの課題は、引出し本体を開放するために、引出し本体の中央ではなく、中央から左右いずれかにずれた位置で押し込むことがあっても両側のスライダーのロックを確実に解放して引出し本体を有効に引き出すことができるスライダー付き引出しキャビネットを提供することにある。
【０００８】
本発明が解決しようとする他の課題は、引出し本体を開放するために、引出し本体の中央ではなく、中央から左右いずれかにずれた位置で押し込むことがあっても両側のスライダーのロックを確実に解放して引き出し本体を有効に引き出すことができる引出しスライダーを提供することにある。
【課題を解決するための手段】
【０００９】
本発明の第１の課題解決手段は、筐体の相対する内壁面に取付けられる第１のスライドレールとこの第１のスライドレールに摺動自在に係合し筐体に出し入れ自在に移動する引出し本体に取付けられる第２のスライドレールとから成る１対のスライダーを備え、各スライダーは、引出し本体が筐体内に引き込まれて第１と第２のスライドレールが重合した状態で前記第１と第２のスライドレールを相互にロックするロック手段を含み、前記ロック手段は、引出し本体を引き出す際に、引出し本体を閉じる方向に押し込んで前記第２のスライドレールを前記第１のスライドレールに対して押し込み方向に変位してロックを解放するようにしたものであるスライダー付き引出しキャビネットにおいて、各スライダーは、前記第１と第２のスライドレールが重合した状態で前記第2のスライドレールが前記第１のスライドレールに対して傾斜するのを防止する傾斜防止手段を備えていることを特徴とするスライダー付き引出しキャビネットを提供することにある。
【００１０】
本発明の第１の課題解決手段において、前記傾斜防止手段は、前記第２のスライドレールの前端側で前記第２のスライドレールと相対するレールに向けて突出するように設けられた突部から成り、前記突部は、前記第１と第２のスライドレールの重合状態で前記第２のスライドレールに相対するレールの係合壁面に係合して前記第２のスライドレールが傾斜するのを防止しているのが好ましい。
【００１１】
この場合、第２のスライドレールが第１のスライドレールに直接嵌合している場合には、第２のスライドレールに設けられた傾斜防止用の突部は、第１のスライドレールの内面側の係合壁面に係合し、第２のスライドレールが中間スライドレールを介して第２のスライドレールに嵌合している場合には、第２のスライドレールの突部は、中間スライドレールの内面側の係合壁面に係合している。
【００１２】
第２のスライドレールの突部は、そのレール壁面の一部を略Ｌ字形に打ち出しして形成することができ、この場合、Ｌ字形の突部の係合面は、相対するレールの係合壁面から前端（引出し本体の正面側の端部）に向けて徐々に離反する傾斜面を有するのが好ましい。
【００１３】
本発明の第２の課題解決手段は、筐体の内壁面に取付けられるべき第１のスライドレールと前記第１のスライドレールに摺動自在に係合し筐体に出し入れ自在に移動する引出し本体に取付けられるべき第２のスライドレールとから成り、引出し本体が筐体内に引き込まれて第１と第２のスライドレールが重合した状態で前記第１と第２のスライドレールを相互にロックするロック手段を含み、前記ロック手段は、引出し本体を引き出す際に、引出し本体を閉じる方向に押し込んで前記第２のスライドレールを前記第１のスライドレールに対して押し込み方向に変位してロックを解放するようにしたものである引出しスライダーにおいて、前記第１と第２のスライドレールが重合した状態で前記第２のスライドレールが前記第１のスライドレールに対して傾斜するのを防止する傾斜防止手段を備えていることを特徴とする引出しスライダーを提供することにある。
【００１４】
本発明の第２の課題解決手段において、前記傾斜防止手段は、前記第２のスライドレールの前端側で前記第２のスライドレールと相対するレールに向けて突出するように設けられた突部から成り、前記突部は、前記第１と第２のスライドレールの重合状態で前記第２のスライドレールに相対するレールの係合壁面に係合して前記第２のスライドレールが傾斜するのを防止しているのが好ましい。
【００１５】
この場合、第２のスライドレールが第１のスライドレールに直接嵌合している場合には、第２のスライドレールに設けられた傾斜防止用の突部は、第１のスライドレールの内面側のレールの係合壁面に係合し、第２のスライドレールが中間スライドレールを介して第２のスライドレールに嵌合している場合には、第２のスライドレールの傾斜防止用突部は、中間スライドレールの内面側のレールの係合壁面に係合している。
【００１６】
第２のスライドレールの突部は、そのレール壁面の一部を略Ｌ字形に打ち出しして形成することができ、この場合、Ｌ字形の突部の係合面は、相対するレールの係合壁面から前端（引出し本体の正面側の端部）に向けて徐々に離反する傾斜面を有するのが好ましい。
【発明の効果】
【００１７】
本発明によれば、上記のように、スライダーは、第１と第２のスライドレールが重合した状態で第２のスライドレールが第１のスライドレールに対して傾斜するのを防止する傾斜防止手段を備えているので、引出し本体を開放するために、引出し本体の正面中央ではなく、左右いずれかにずれた位置で引出し本体を押し込むようなことがあっても、引出し本体は、押し込み側のみが押し込まれるような傾きを生ずることがなく、引出し本体の左右両側が平行な状態を維持したまま押し込まれ、左右両方のスライダーのロックを確実に解放することができ、従って、引出しを確実に開放することができ、引出し本体の傾きによるスライダーの破損を有効に防止することができる。
【００１８】
また、傾斜防止手段が第２のスライドレールの前端側に設けられた突部から成っているので、引出し本体を引き出すと、傾斜防止用の突部は、相対するレールの係合壁面から離反し、従って、第２のスライドレールは、第１のスライドレールに対して緩みを回復するため、引出し本体の引出し操作は、傾斜防止手段の抵抗を受けることなく、円滑に行うことができる。
【００１９】
更に、傾斜防止用突部が第２のスライドレールの壁面から打ち出しによって形成すると、スライドレールの成形時に一体に形成されるので、傾斜防止手段の形成が容易であり、その上、突部が打ち出しによって形成されると、突部は、相対するレールの係合壁面に対して弾性的に係合し、引出し本体の引き込み作業を抵抗なく円滑に行うことができる。特に、この打ち出し突部に前端に向けて傾斜する傾斜面を有すると、突部が相対するレールの係合壁面に円滑に係合することができ、引出し本体の引き込み作業の円滑性を一層向上することができる。
【図面の簡単な説明】
【００２０】
【図１】本発明のスライダー付き引出しキャビネットの閉じた状態の斜視図である。
【図２】図１の引出しキャビネットの引出し本体を引き出すために引出し本体を押し込んだ状態の斜視図である。
【図３】図２の状態から引出し本体を引出し始めた状態（引出し初期状態）の斜視図である。
【図４】図３の状態から引出し本体を更に引き出した状態の斜視図である。
【図５】本発明のスライダーの後端（奥端）側のロック前の状態を示す拡大側面図である。
【図６】図５と同様にスライダーの後端（引出しの奥端）側であるが、そのロック状態を示す拡大側面図である。
【図７】本発明のスライダーの前端（引出しの手前側の端部）側のロック状態の拡大側面図である。
【図８】図６のＶＩＩＩ−ＶＩＩＩ線拡大断面図である。
【図９】図７のＩＸ−ＩＸ線拡大断面図である。
【図１０】第２のスライドレールの背面図である。
【図１１】第１のスライドレールに取り付けられるフレームとこのフレームに取り付けられたロック手段とレール・ブロック連結手段とを示し、同図（Ａ）は、その拡大側面図、同図（Ｂ）は、図１１（Ａ）のＢ−Ｂ線断面図、同図（Ｃ）は、レール・ブロック連結手段の説明図である。
【図１２】スライダーのロック手段の動作を示し、同図（Ａ）は、引出し本体が筐体内に押し込まれて第２のスライドレールの爪部材が第１のスライドレールに設けられた鉤部材に接触し始めた状態の説明図、同図（Ｂ）は、第２のスライドレールの爪部材が第１のスライドレール側の結鉤部材に係入してスライドブロックがロック部材に押し込まれる状態の説明図、同図（Ｃ）は、第２のスライドレールが第１のスライドレールに完全に重合してスライドブロックに第１のスライドレールに取り付けられたレバー状のロック部材が係入して第１と第２のスライドレールを重合状態でロックしている状態の説明図である。
【図１３】本発明のスライダーに用いられるロック手段のスライドブロックの背面を示し、同図（Ａ）は、その斜視図、同図（Ｂ）は、その背面図、同図（Ｃ）は、ロック部材のロックピンとスライドブロックの案内溝との関係を示す説明図である。
【図１４】本発明に用いられる第２のスライドレールの外側の斜視図である。
【図１５】図１０の第２のスライドレールの拡大外面図である。
【図１６】図１０の第２のスライドレールの拡大上面図である。
【図１７】図１０の第２のスライドレールの拡大内面図である。
【図１８】図１０の第２のスライドレールの拡大正面図である。
【図１９】図１０の第２のスライドレールの拡大背面図である。
【図２０】図１０の第２のスライドレールの拡大縦断面図である。
【図２１】本発明のスライダーの傾斜防止手段の拡大断面図である。
【図２２】本発明の傾斜防止手段を有しない引出しキャビネットの引出し本体を開放するために正面の中央から左方にずれて引出し本体を押し込んだ場合に生ずる引出し本体の傾きを示す説明図である。
【発明を実施するための最良の形態】
【００２１】
本発明の好ましい実施の形態によるスライダーＳ付き引出しキャビネット１を以下に図面を参照して述べると、図１乃至図４は、本発明の引出しキャビネット１を示し、この引出しキャビネット１は、図示の例では、前面が開口する筐体２とこの筐体２内に出し入れ自在に収納される引出し本体３とから成っており、引出しスライダーＳは、図１乃至図４と図５乃至図９に示すように、筐体２の両側の相対する内壁面に取付けられる第１のスライドレール１２と、この第１のスライドレール１２に摺動自在に係合し引出し本体３の両側外側面に取付けられる第２のスライドレール１４と、引出し本体３が筐体２内に引き込まれた時に第１と第２のスライドレール１２、１４が重合して第１と第２のスライドレール１２，１４を相互にロックするロック手段２０とを備えている。
【００２２】
図示の例では、第１のスライドレール１２が外側スライドレールであり、第２のスライドレール１４が内側スライドレールであるが、第１のスライドレール１２が内側で第２のスライドレール１４が外側であってもよい。また、図示の例では、第１と第２のスライドレール１２、１４の間に中間スライドレール１６が設けられているが、この中間スライドレール１６は省略してもよい。なお、第１及び第２のスライドレール１２、１４は、筐体２、引出し本体３にそれぞれ取付けるのに用いられる取付けボルト用の孔１２Ｈ、１４Ｈを有する(特に、図８参照）。
【００２３】
以下、一方側の引出しスライダーＳを詳細に述べるが、他方側の引出しスライダーＳも一方側と同様であるが、対称的に構成されている。
【００２４】
第１のスライドレール１２、第２のスライドレール１４及び中間スライドレール１６は、いずれも断面Ｕ字形に成形された溝形鋼の如き金属製の構造部材から成っているが、金属以外の材質であってもよい。第１のスライドレール１２と中間スライドレール１６とは、それらのウエブ１２Ｗ、１６Ｗが重合するように、側壁１２Ｓ、１６Ｓ間に配置された滑動部材（両側からボールの一部が露出するように多数のボールが間隔をあけて保持されている板状部材）１８Ａによって摺動自在に嵌合され、第２のスライドレール１４は、そのウエブ１４Ｗが中間スライドレール１６のウエブ１６Ｗとは反対側に面するように、その側壁１４Ｓ、１６Ｓ間に配置された滑動部材（滑動部材１８Ａと同様の構造のもの）１８Ｂによって相互に摺動自在に嵌合されている（図５、６及び９、特に図９参照）。第１及び第２のスライドレール１２、１４と中間スライドレール１６とは、引出し本体３の出し入れを円滑に行うことができるように緩みを持って相互に嵌合している。
【００２５】
ロック手段２０は、図５及び図１１に示すように、第１のスライドレール１２の奥端に固定して取付けられる金属製または硬質プラスティック製のフレーム３０と、後に述べるように、このフレーム３０上に摺動自在に保持され、第２のスライドレール１４の先端部に係脱自在に結合して引出し本体３の引き込み時(閉じる時）に引出し本体３及び第２のスライドレール１４と共に奥に向けて移動する案内溝付きスライドブロック４０（図１１（Ｂ）参照）と、フレーム３０の奥端に揺動ピン５２によって揺動自在に支持されスライドブロック４０の案内溝４６に係合するロックピン５４を有するレバー状のロック部材５０とから成っている。スライドブロック４０は、フレーム３０に摺動自在に保持されたブロックキャリアー４２の内部（図５、図６の紙面の裏側に相当）に取り付けられているので、図５、図６では認識することができないが、図１１（Ｂ）に示されている。なお、図示の例では、ロック部材５０は、ロックピン５４をロック部材５０の揺動によって横方向に変位するようにしたが、ロックピン５４をフレーム３０の幅方向に変位することができれば、レバー状ではなくてもよい。
【００２６】
図５及び図１１に示すように、フレーム３０は、フレーム本体３２の一端に横片３４が一体に設けられた略Ｔ字形の形態を有し、横片３４は、第１のスライドレール１２の奥端開口部に嵌め込まれ、またフレーム本体３２は、図示しない適宜の手段で固定され、これによってフレーム３０が第１のスライドレール１２に固定されている。
【００２７】
ブロックキャリアー４２は、図１１、特に図１１（Ｂ）に示すように、２つのキャリアー半部４２Ｈが接合して形成され、このブロックキャリアー４２は、２つのキャリアー半部４２Ｈで形成される空間がフレーム本体３２に摺動自在に嵌合してフレーム本体３２に沿って第１のスライドレール１２の縦方向に案内される。案内溝付きスライドブロック４０は、図１１（Ｂ）に示すように、このブロックキャリアー４２の空間内で一方のキャリアー半部に固定して取り付けられている。従って、ブロックキャリアー４２がフレーム３０に沿って第１のスライドレール１２の縦方向に案内されると、案内溝付スライドブロック４０がロック部材５０の揺動ピン５２に対して進退する。
【００２８】
ブロックキャリアー４２は、その両側の１対の羽根状のばね止め片４２Ｐとフレーム３０のフレーム本体３２の両側に延びる１対のばね止め片３２Ｐとの間に掛け止められた１対のばね４４によって通常ではロック部材５０から離反する方向に付勢されている。
【００２９】
スライドブロック４０の案内溝４６は、図１３に示すように、後端に幅広の開口４６Ｏを有し、更に、引出し本体３が引き込められた時にロック部材５０のロックピン５４に係合してロック部材５０をロックするようにこの開口４６Ｏに連続するロック面４６Ｌと、引出し本体３を引き込む時にロック部材５０のロックピン５４をロック面４６Ｌに導くように幅寄せしながら後退する引き込み後退側誘導面４６Ｒと、引出し本体３を開く時にロック部材５０のロックピン５４をロック面４６Ｌから外れるように幅寄せしながら後退し、次いで前進して開口４６Ｏに誘導する引出し前進側誘導面４６Ｆを有する。図１３において、符号４６Ｒ、４６Ｆを有しないが、後退側誘導面４６Ｒは、ロックピン５４が接触する順番に「ａ、ｂ、ｃ、ｄ」の符号を付記し、また、前進側誘導面４６Ｆは、ロックピン５４が接触する順番に「ａ、ｂ、ｃ」の符号を付記して表示されている。なお、誘導面４６Ｒｄ、４６Ｆｂは、引出し本体３が閉じた状態に維持される位置よりも若干閉じ込み方向に第２のスライドレール１４、即ちロックピン５４が変位することができるように長めに延長して形成されている。
【００３０】
第２のスライドレール１４と案内溝付スライドブロック４０とを連結したり解除したりするレール・ブロック連結手段６０が設けられており、このレール・ブロック連結手段６０は、図１０及び図１１（Ａ）（Ｃ）に示すように、第２のスライドレール１４の内面（中間スライドレールに対向する面）に固定して取り付けられた爪部材６２（図１０参照）とブロックキャリアー４２の前端（ロック部材５０に対する側とは反対側の端）にに取り付けられた鉤部材６４（図１１（Ａ）（Ｃ）参照）とから成っている。鉤部材６４は、図１１（Ｃ）に示すように、その揺動の自由端に、フレーム３０のフレーム本体３２に設けられた案内溝３２Ｇに係入する案内ピン６４Ｐを有し、案内溝３２Ｇは、ブロックキャリアー４２がロック部材５０から後退した位置では、図５並びに図１１（Ａ）の実線及び図１１（Ｃ）の一点鎖線で示すように、鉤部材６４の鉤の開口が前向き（ロック部材とは反対側の向き）に開くように傾き、ブロックキャリアー４２がロック部材５０に向けて前進した位置では、図１１（Ｃ）の上側に点線で示すように、鉤部材６４の鉤の開口が横向き（フレーム３０の幅方向の向き）となってブロックキャリアー４２の進退に伴って鉤部材６４を変位するように形成されている。即ち、案内溝３２Ｇは、ブロックキャリアー４２の後退位置では、フレーム本体３２の一方の側に向けて曲線状に形成され、ブロックキャリアー４２の前進位置では、フレーム本体３２の中間よりに直線状に形成され、これらの曲線部と直線部とは、連続している。
【００３１】
従って、引出し本体３を筐体２内に押し込んで（閉じるように移動して）第２のスライドレール１４も押し込まれる（前進する）と、第２のスライドレール１４の外面（中間スライドレール１６に対向する面）に取り付けられている爪部材６２も前進し（図１０の矢印方向Ｆに移動し）、爪部材６２がブロックキャリアー４２に取り付けられている鉤部材６４の鉤の開口内に入り込み、この鉤部材６４を介してブロックキャリアー４２も押し込まれる（前進する）。また、引出し本体３を引き出して開くと（後退すると）（図１０の矢印方向Ｒに移動すると）、レール・ブロック連結手段６０の爪部材６２と鉤部材６４との連結が保たれたままブロックキャリアー４２も後退するが、このブロックキャリアー４２に取り付けられている鉤部材６４は、そのピン６４Ｐが案内溝３２Ｇの曲線部にかかると、鉤の開口が前向きに開くため、第２のスライドレール１４の爪部材６２は鉤部材６２から解放されて第２のスライドレール１４がブロックキャリアー４２との連結から外れてブロックキャリアー４２を第１のスライドレール１２に残したまま後退することができる。
【００３２】
第２のスライドレール１４と中間スライドレール１６とは、第２のスライドレール１４側に設けられた抜け止め部材１４ＲＳ（図１０にその一部のみが示されている）と中間スライドレール１６の端部に設けられて抜け止め部材１４ＲＳの横係入溝（図示せず）に係入した図示しない突起との噛み合いによって相互に抜け止めされているが、この抜け止め部材１４ＲＳは、中間スライドレール１６の端部から後方（引出し本体３の引出し方向または後退方向）に外れて露出した位置でレールの幅方向に手で変位して抜け止めを解除することができる。なお、中間スライドレール１６は、最前端位置（最押し込み位置）では、その前端がフレーム３０の後端のばね受け３２Ｐに設けられたストッパー３２ＰＳに衝合し（図５参照）、また第２のスライドレール１４は、その後この中間スライドレール１６の前端を越えて前進し、レール・ブロック連結手段６０の爪部材６２がフレーム３０上の鉤部材６４に係入するように前進する。
【００３３】
次に、引出しキャビネット１の開閉操作を述べると、引出しキャビネット１を閉じるため、図２、図５に示すように、引出し本体３を閉じる方向に押し込んで第２のスライドレール１４を中間スライドレール１６を介して第１のスライドレール１２内に収納されるように滑り込ませると、第２のスライドレール１４がレール・ブロック連結手段６０を介してロック手段２０のブロックキャリアー４２に連結され（図１２（Ａ）及び（Ｂ）参照）、第２のスライドレール１４が更に前進すると、ブロックキャリアー４２を介してスライドブロック４０を第１のスライドレール１２の奥端側に移動する(図１２（Ｃ）参照)。
【００３４】
このようにしてスライドブロック４０が前進すると、ロック部材５０のロックピン５４は、図１３（Ａ）（Ｂ）に示すスライドブロック４０の案内溝４６の開口４６Ｏから後退側誘導面４６Ｒａ、４６Ｒｂ、４６Ｒｃを経てロックアーム５０の揺動によって幅寄せされながら後退側誘導面４６Ｒｄの延長部分に係入するが、引出し本体３から手を離すと、ばね４４によってスライドブロック４０が引出し本体３を開く方向に戻されるため、ロック部材５０のロックピン５４がスライドブロック４０の案内溝４６のロック面４６Ｌに係合してスライドブロック４０、即ち第２のスライドレール１４が引出し本体３の後退方向（引出し本体が開く方向）に戻されるのをロックする（図６参照）。
【００３５】
次に、引出しキャビネット１を開くため、引出し本体３をばね４４に抗して一旦引き込む（閉じる）方向（前進方向）に押し込んで第２のスライドレール１４を介してスライドブロック４０を第１のスライドレール１２の奥端側に変位すると、ロック部材５０のロックピン５４は、図１３（Ｃ）の「ｂ」で示すように、スライドブロック４０の案内溝４６のロック面４６Ｌから前進側誘導面４６Ｆａによって幅寄せされながら前進側誘導面４６Ｆｂの延長部分に入り込むので、その後、引出し本体３を引き出すと、第２のスライドレール１４を介してスライドブロック４０を引出し方向に移動し、このため、ロック部材５０のロックピン５４は、案内溝４６の前進側誘導面４６Ｆｃによって更に幅寄されながら案内溝４６の開口４６Ｏから脱出する。従って、引出し本体３は、筐体２から引き出すことができる。
【００３６】
本発明の引出しスライダーＳは、第１と第２のスライダー１２、１４が重合した状態で第２のスライドレール１４が第１のスライドレールに対して傾斜するのを防止する傾斜防止手段（又は第２のスライドレール１４の第２のスライドレールに対する緩みを防止する緩み防止手段）７０を備えている。
【００３７】
この傾斜防止手段７０は、図９及び図２１に示すように、第２のスライドレール１４の前端側で外面側（引出し本体３とは反対側、即ち、図示の場合中間スライドレール１６に対向する面）に相対するレールに向けて突出するように設けられた突部７２と、第１と第２のスライドレール１２、１４の重合状態でこの突部７２が係合するように第２のスライドレール１４の外面に相対するレールの平坦な係合壁面７４とから成っていて第２のスライドレール１４がこの突部７２と係合壁面７４との係合によって、第１と第２のスライドレール１２、１４が互いに接近するのを防止することによりこれらのレール間の緩みを防止している。
【００３８】
図示の形態では、第２のスライドレール１４が中間スライドレール１６を介して第１のスライドレール１２に嵌合しているので、第２のスライドレール１４の突部７２が係合する平坦な係合壁面７４は、中間スライドレールの内面（第２のスライドレール１４に対向する面）側の端部に設けられている。
【００３９】
また、図示の形態では、特に、図２１に示すように、第２のスライドレール１４の突部７２は、そのレール壁面の一部を略Ｌ字形に打ち出しして形成されており、このＬ字形の突部の係合面７２Ｅは、相対する平坦な係合壁面７４から徐々に離反する傾斜面となっている。従って、図２１から解るように、突部７２は、その係合面７２Ｅの全面が係合壁面７４に接触しているのではなく、レールの幅方向に線接触していることになり、これは、第２のスライドレール１４が嵌合するレール、図示の形態では、中間スライドレール１６に低い抵抗で緩みを防止するので、引出し本体３の引き込み抵抗を大きくすることがない。
【００４０】
なお、中間スライドレール１６を用いることなく、第２のスライドレール１４が第１のスライドレール１２に直接嵌合している場合には、第２のスライドレール１４に設けられた傾斜防止用の突部７２は、第１のスライドレール１２の内面側の平坦な係合壁面７４に係合することになる。
【００４１】
上記のように、本発明のスライダーＳは、第１と第２のスライドレール１２、１４が重合した状態で第２のスライドレール１４が第１のスライダー１２に対して緩むのを防止する傾き防止手段７０を備えているので、引出し本体３を引き出す（開放する）ために、引出し本体３の正面中央ではなく、図２２の矢印Ｙで示すように、左右いずれかにずれた位置で引出し本体３を押し込むようなことがあっても、引出し本体３は、押し込み側のみが押し込まれるような傾き（図２２参照）を生ずることがなく、引出し本体３の左右両側が平行な状態を維持したまま押し込まれ、左右両方のスライダーＳのロックを確実に解放することができる。従って、引出しキャビネット１を確実に開放することができ、引出し本体３の傾きによるスライダーＳの破損を有効に防止することができる。
【００４２】
また、傾斜防止手段７０が第２のスライドレール１４の前端側に設けられた突部７２から成っていると、引出し本体３を引き出す際、傾斜防止用の突部７２は、相対する係合壁面７４から引出し方向（開く方向）に離反し、従って、第２のスライドレール１４は、第１のスライドレール１２に対する緩みを回復するため、引出し本体３の引出し操作は、傾斜防止手段７０の抵抗を受けることなく、円滑に行うことができる。
【００４３】
更に、緩み防止用突部７２が第２のスライドレール１４のレール壁面から打ち出しによって形成すると、第２のスライドレール１４の成形時に一体に形成されるので、傾斜防止手段７０の形成が容易であり、その上、突部７２が打ち出しによって形成されると、この突部７２は、相対する係合壁面７４に対して弾性的に係合し、引出し本体３の引き込み作業を抵抗なく円滑に行うことができる。特に、この打ち出し突部７２に傾斜係合面７２Ｅを有すると、突部７２が相対する係合壁面７４に円滑に係合することができ、引出し本体３の引き込み作業の円滑性を一層向上することができる。
【産業上の利用可能性】
【００４４】
本発明によれば、引出し本体を一旦引き込む方向に押し込んでロックを外すロック手段を備えている引出しスライダーにおいて、引出し本体を開放するために、引出し本体の中央ではなく、中央から左右いずれかにずれた位置で押し込むことがあっても、両側のスライダーのロックを確実に解放して引き出し本体を有効に引き出すことができ、高い産業上の利用性を有する。
【符号の説明】
【００４５】
１      引出しキャビネット
２      筐体
３      引出し本体
Ｓ      引出しスライダー
１２      第１のスライドレール
１４      第２のスライドレール
１４ＲＳ  抜け止め部材
１６      中間スライドレール
２０      ロック手段
３０      フレーム
３２      フレーム本体
３２Ｇ    案内溝
３２ＰＳ  ストッパー
３４      横片
４０      スライドブロック
４２      ブロックキャリアー
４４      ばね
４６      案内溝
４６Ｏ    幅広の開口
４６Ｌ    ロック面
４６Ｒ、４６Ｒａ、４６Ｒｂ、４６Ｒｃ、４６Ｒｄ  引き込み後退誘導面
４６Ｆ、４６Ｆａ、４６Ｆｂ、４６Ｆｃ  前進誘導面
５０      ロック部材
５２      揺動ピン
５４      係合ピン
６０      レール・ブロック連結手段
６２      爪部材
６４      鉤部材
６４Ｐ    案内ピン
７０      傾斜防止手段（緩み防止手段）
７２      突部
７２Ｅ    係合面
７４      係合壁面
【図１】
0005547141.tif 000002
【図２】
0005547141.tif 000003
【図３】
0005547141.tif 000004
【図４】
0005547141.tif 000005
【図５】
0005547141.tif 000006
【図６】
0005547141.tif 000007
【図７】
0005547141.tif 000008
【図８】
0005547141.tif 000009
【図９】
0005547141.tif 000010
【図１０】
0005547141.tif 000011
【図１１】
0005547141.tif 000012
【図１２】
0005547141.tif 000013
【図１３】
0005547141.tif 000014
【図１４】
0005547141.tif 000015
【図１５】
0005547141.tif 000016
【図１６】
0005547141.tif 000017
【図１７】
0005547141.tif 000018
【図１８】
0005547141.tif 000019
【図１９】
0005547141.tif 000020
【図２０】
0005547141.tif 000021
【図２１】
0005547141.tif 000022
【図２２】
0005547141.tif 000023